(57)【要約】【課題】  正規断裁紙のエッジが無用なダメージを受ける問題を排除し、さらに、ドブ断裁紙が排出時に詰まるトラブルを回避して円滑な排出を可能にする。【解決手段】  用紙Ｐに対して一方向Ｆｍの断裁を行う第一断裁機構２及び／又は他方向Ｆｓの断裁を行う第二断裁機構３に、用紙Ｐの一面側に配した第一丸刃部４及び用紙Ｐの他面側に配した第二丸刃部５ｐ，５ｑを組合わせた複数の断裁部３ｐ…を備える構成において、用紙Ｐの上面Ｐｕ側に配した単一体の第一丸刃部４及び用紙Ｐの下面Ｐｄ側に配することにより第一丸刃部４の両側端面４ｐ，４ｑにそれぞれ当接する一対の第二丸刃部５ｐ，５ｑとを用いた少なくとも一以上の断裁部３ｐ…を含む断裁機構部Ｍｃと、第一丸刃部４間の断裁された正規断裁紙Ｃｐｓ…を導出する第一排出機構６ｆ及び当該正規断裁紙Ｃｐｓ…以外のドブ断裁紙Ｃｐｒ…を正規断裁紙Ｃｐｓ…よりも下方に導出する第二排出機構６ｓを備える。【選択図】  図１
2015123565.tif 000002
【特許請求の範囲】
【請求項１】
用紙に対して一方向の断裁を行う第一断裁機構と他方向の断裁を行う第二断裁機構とを有する断裁機構部を備えるとともに、前記第一断裁機構及び（又は）前記第二断裁機構に、前記用紙の一面側に配した第一丸刃部及び前記用紙の他面側に配した第二丸刃部を組合わせて構成した複数の断裁部を備えることにより、一枚の用紙を断裁して複数のカード類を得る用紙断裁装置において、前記用紙の上面側に配した単一体の第一丸刃部及び前記用紙の下面側に配することにより前記第一丸刃部の両側端面にそれぞれ当接する一対の第二丸刃部とを用いた少なくとも一以上の断裁部を含む断裁機構部と、各第一丸刃部相互間の断裁された正規断裁紙を導出する第一排出機構及び当該正規断裁紙以外の断裁されたドブ断裁紙を当該正規断裁紙よりも下方に導出する第二排出機構を有する排紙機構部を備えてなることを特徴とする用紙断裁装置。
【請求項２】
前記断裁機構部は、前記用紙の両面側にそれぞれ配した一対の長刃を用いた前記第一断裁機構と、複数の前記断裁部を有する前記第二断裁機構の組合わせにより構成することを特徴とする請求項１記載の用紙断裁装置。
【請求項３】
前記第一丸刃部は、両側端面を相互に平行となる平行面とし、かつ外周面の軸方向中間部位に周方向に沿って形成した凹溝部の両側を傾斜面として周縁尖形に形成した一対の刃状部を設けてなることを特徴とする請求項１又は２記載の用紙断裁装置。
【請求項４】
前記第二丸刃部は、前記第一丸刃部の端面に当接する内側端面を当該第一丸刃部の端面に平行となる平行面とし、かつ外側端面を傾斜面として周縁尖形に形成してなることを特徴とする請求項１，２又は３記載の用紙断裁装置。
【請求項５】
前記第二断裁機構は、前記断裁機構部に対して着脱可能となる断裁ユニットとして構成することを特徴とする請求項２，３又は４記載の用紙断裁装置。
【発明の詳細な説明】
【技術分野】
【０００１】
本発明は、一枚の用紙を断裁して複数のカード類（名刺，葉書，チケット等）を得る際に用いて好適な用紙断裁装置に関する。
【背景技術】
【０００２】
従来、用紙に対して一方向の断裁を行う第一断裁機構と他方向の断裁を行う第二断裁機構とを備えるとともに、第一断裁機構及び（又は）第二断裁機構に、用紙の一面側に配した第一丸刃部及び用紙の他面側に配した第二丸刃部を組合わせて構成した複数の断裁部を備えることにより、一枚の用紙を断裁して複数のカード類を得る用紙断裁装置としては、既に本出願人が提案した特許文献１で開示されるカード断裁装置が知られている。
【０００３】
このカード断裁装置は、コストが高く交換が難しい丸刃ユニットを使用せずに断裁するとともに、断裁幅も調整自在とし、さらにカードの順序性も備えてカードトレイに収容できるようにすることを目的としたものであり、具体的には、カード用紙を搬入する給紙部と、給紙部から搬入されたカード用紙の第１所定位置を検出し、第１所定位置から一定量だけ搬送方向前方に搬送する第１搬送部と、第１搬送部により搬送されたときに搬送方向と略直角方向に長刀により前記カード用紙を断裁および／またはドブ断ちする第１断裁部と、第１断裁部により断裁されたカード用紙片を第１搬送部による搬送方向と略直角の方向に搬送する第２搬送部と、第２搬送部により搬送されたカード用紙片の第２所定位置を検出し、第２所定位置において長刀または丸刃によりカード用紙片を断裁および／またはドブ断ちする第２断裁部とを備えて構成したものである。
【先行技術文献】
【特許文献】
【０００４】
【特許文献１】特開２００５−１０７５号公報
【発明の概要】
【発明が解決しようとする課題】
【０００５】
しかし、上述した特許文献１で開示されるカード断裁装置は、次のような解決すべき課題も存在した。
【０００６】
第一に、このカード断裁装置は、いわゆるドブ断ちを行う断裁機構を備えているが、このドブ断ちを丸刃を用いて行う場合、正規断裁紙のエッジが無用なダメージを受けたり、ドブ部分（ドブ断裁紙）が円滑に排出されないトラブルを生じやすい。即ち、図１０（ａ），（ｂ）に示すように、ドブ部分に対応する厚さを有する偏平な円柱状の下丸刃４ｒとこの下丸刃４ｒの両端面に周縁を尖形に形成した一対の上丸刃５ｐｒ，５ｑｒを当接させた構造を有する断裁部３ｐｒを採用し、また、断裁後の正規断裁紙Ｃｐｓｒは、前方へ送り出すとともに、短くかつ細い紙片となるドブ断裁紙Ｃｐｒｒは、下方へ落下させる方式を採用する。このため、断裁後の正規断裁紙Ｃｐｓｒは、図１０（ａ）に示すように、上丸刃５ｐｒ，５ｑｒにより下方に押され、かつドブ断裁紙Ｃｐｒｒは下丸刃４ｒの周面に沿って送り出されることになり、断裁直後に上方に位置したドブ断裁紙Ｃｐｒｒは、その後、不図示のガイド等にガイドされて下方へ落下する。したがって、正規断裁紙Ｃｐｓｒの送り方向とドブ断裁紙Ｃｐｒｒの送り方向の交差ポイントが生じ、正規断裁紙Ｃｐｓｒとドブ断裁紙Ｃｐｒｒのエッジ同士が擦れることにより正規断裁紙Ｃｐｓｒのエッジがダメージを受けやすい。加えて、上向きに送られるドブ断裁紙Ｃｐｒｒをガイド等により下方へ強制的に導くため、排出時にドブ断裁紙Ｃｐｒｒが停滞して詰まり等のトラブルを生じやすい。
【０００７】
第二に、通常の用紙であれば特に問題を生じないが、所定の厚さ以上となる厚紙や特定用途の特殊紙、例えば、内部層を繊維質とし、両側の外部層を高平滑性の硬質表面とした特殊紙等に対しては、品質の高い断裁を確保できないケースも生じやすい。即ち、図１０（ｂ）に示すように、断裁時には、用紙の断裁部分、特に、正規断裁紙Ｃｐｓｒのエッジ部分が食い破られる等によりバリＰｍｅを生じやすい。結局、用紙の種類によっては、品質の高い断裁処理を確保するには限界があった。
【０００８】
本発明は、このような背景技術に存在する課題を解決した用紙断裁装置の提供を目的とするものである。
【課題を解決するための手段】
【０００９】
本発明は、上述した課題を解決するため、用紙Ｐに対して一方向Ｆｍの断裁を行う第一断裁機構２と他方向Ｆｓの断裁を行う第二断裁機構３とを有する断裁機構部Ｍｃを備えるとともに、第一断裁機構２及び（又は）第二断裁機構３に、用紙Ｐの一面側に配した第一丸刃部４及び用紙Ｐの他面側に配した第二丸刃部５ｐ，５ｑを組合わせて構成した複数の断裁部３ｐ…を備えることにより、一枚の用紙Ｐを断裁して複数のカード類Ｃｐ…を得る用紙断裁装置１を構成するに際して、用紙Ｐの上面Ｐｕ側に配した単一体の第一丸刃部４及び用紙Ｐの下面Ｐｄ側に配することにより第一丸刃部４の両側端面４ｐ，４ｑにそれぞれ当接する一対の第二丸刃部５ｐ，５ｑとを用いた少なくとも一以上の断裁部３ｐ…を含む断裁機構部Ｍｃと、各第一丸刃部４…相互間の断裁された正規断裁紙Ｃｐｓ…を導出する第一排出機構６ｆ及び当該正規断裁紙Ｃｐｓ…以外のドブ断裁紙Ｃｐｒ…を正規断裁紙Ｃｐｓ…よりも下方に導出する第二排出機構６ｓを有する排紙機構部Ｍｒを備えてなることを特徴とする。
【００１０】
この場合、発明の好適な態様により、断裁機構部Ｍｃは、用紙Ｐの両面Ｐｕ，Ｐｄ側にそれぞれ配した一対の長刃１１ｕ，１１ｄを用いた第一断裁機構２と、複数の断裁部３ｐ…を有する第二断裁機構３の組合わせにより構成することができる。また、第一丸刃部４には、両側端面４ｐ，４ｑを相互に平行となる平行面とし、かつ外周面の軸方向中間部位に周方向に沿って形成した凹溝部１２の両側を傾斜面として周縁尖形に形成した一対の刃状部１３ｐ，１３ｑを設けることができる。さらに、第二丸刃部５ｐ，５ｑは、第一丸刃部４の端面４ｐ，４ｑに当接する内側端面５ｐｆ，５ｑｆを当該第一丸刃部４の端面４ｐ，４ｑに平行となる平行面とし、かつ外側端面５ｐｓ，５ｑｓを傾斜面として周縁尖形に形成することができる。なお、第二断裁機構３は、断裁機構部Ｍｃに対して着脱可能となる断裁ユニットＵｃとして構成することができる。
【発明の効果】
【００１１】
このような構成を有する本発明に係る用紙断裁装置１によれば、次のような顕著な効果を奏する。
【００１２】
（１）  断裁後の正規断裁紙Ｃｐｓ…の送り方向とドブ断裁紙Ｃｐｒ…の送り方向の交差ポイントが発生しないため、正規断裁紙Ｃｐｓとドブ断裁紙Ｃｐｒのエッジ同士の擦れにより正規断裁紙Ｃｐｓのエッジが無用なダメージを受ける弊害を回避できる。しかも、ドブ断裁紙Ｃｐｒ…をガイド等により下方へ強制的に導く構造が不要、或いは緩やかなガイド等で足りるため、排出時にドブ断裁紙Ｃｐｒ…が停滞しやすい不具合を回避でき、ドブ断裁紙Ｃｐｒ…の詰まり等のトラブルが生じにくい円滑な排出を行うことができる。
【００１３】
（２）  好適な態様により、第一丸刃部４を構成するに際し、両側端面４ｐ，４ｑを相互に平行となる平行面とし、かつ外周面の軸方向中間部位に周方向に沿って形成した凹溝部１２の両側を傾斜面として周縁尖形に形成した一対の刃状部１３ｐ，１３ｑを設けて構成すれば、第一丸刃部４の周面が軸方向に平坦となる場合に生じる不具合を回避できるため、所定の厚さ以上となる厚紙や特殊紙（内部層を繊維質とし、両側の外部層を高平滑性の硬質表面とした特殊紙等）であっても、断裁時に用紙Ｐが食い破られる等の不具合を排除し、品質低下の生じない円滑な断裁処理を行うことができるとともに、断裁可能な用紙Ｐの種類を飛躍的に拡大することができる。
【００１４】
（３）  好適な態様により、第二丸刃部５ｐ，５ｑを形成するに際し、第一丸刃部４の端面４ｐ，４ｑに当接する内側端面５ｐｆ，５ｑｆを当該第一丸刃部４の端面４ｐ，４ｑに平行となる平行面とし、かつ外側端面５ｐｓ，５ｑｓを傾斜面として周縁尖形に形成すれば、特に、上述した一対の刃状部１３ｐ，１３ｑを設けた第一丸刃部４と組合わせることにより、最適な断裁機構部Ｍｃを構築でき、高品質かつ円滑な断裁処理を確実に実現することができる。
【００１５】
（４）  好適な態様により、第二断裁機構３を、断裁機構部Ｍｃに対して着脱可能となる断裁ユニットＵｃとして構成すれば、複数の異なる断裁ユニットＵｃ…を選択交換可能になるため、名刺，葉書，チケット等で代表される各種のカード類Ｃｐ…の断裁に適用でき、用紙断裁装置１の汎用性を高めることができる。
【図面の簡単な説明】
【００１６】
【図１】本発明の好適実施形態に係る用紙断裁装置における第二断裁機構の一部抽出拡大図を含む正面図、
【図２】同用紙断裁装置の全体外観図、
【図３】同用紙断裁装置における第一断裁機構の正面図、
【図４】同用紙断裁装置における要部の平面方向から見た模式的構成図、
【図５】同用紙断裁装置における要部の側面方向から見た模式的構成図、
【図６】同用紙断裁装置における第二断裁機構及び排紙機構部の側面方向から見た作用説明図、
【図７】同用紙断裁装置における第二断裁機構の正面方向から見た作用説明図、
【図８】同用紙断裁装置における第一丸刃部の変更例の製造工程説明図、
【図９】同用紙断裁装置における第一丸刃部の他の変更例を示す正面図、
【図１０】背景技術に係るカード断裁装置の作用説明図、
【発明を実施するための形態】
【００１７】
次に、本発明に係る好適実施形態を挙げ、図面に基づき詳細に説明する。
【００１８】
まず、本実施形態に係る用紙断裁装置１の要部構成の理解を助けるため、全体の概略構成について、図２を参照して説明する。
【００１９】
例示の用紙断裁装置１は、全体が直方体形のキャビネット５１に覆われ、このキャビネット５１の上部の一側面（後面）に、断裁する前の多数の用紙Ｐ…を積層状態にセットする給紙トレイ５２を備える。例示の場合、セットできる用紙Ｐ…のサイズは、少なくとも、Ａ４サイズ，Ａ４ワイドサイズ，Ｂ４サイズ，Ａ３サイズ，Ａ３ワイドサイズが可能であり、紙質としては、厚さが概ね０．１２〜０．４〔ｍｍ〕程度の上質紙，更紙，コピー紙からアートコート紙等を適用できる。なお、用紙Ｐ…は印刷されていてもよいし、印刷されていなくてもよく、印刷の有無は任意である。印刷する場合には、名刺，葉書，チケット等の断裁後のカード類Ｃｐ…に対応した複数の印刷部分を縦方向及び横方向に配列した状態に印刷する。例示は、図４に示すように、横方向（一方向Ｆｍ）を五列、縦方向（他方向Ｆｓ）を四列とした二十枚の名刺を印刷した用紙Ｐを示す。
【００２０】
また、キャビネット５１の上部の他側面（前面）には、断裁後のカード類Ｃｐ…を受け取る排紙トレイ５３を備えるとともに、キャビネット５１の下部にはドブ断ちにより生じたドブ断裁紙Ｃｐｒ…を回収する回収ボックス５４を備える。この回収ボックス５４は、キャビネット５１の下部に設けた開口部５１ｏを通して、キャビネット５１の内部に容易に収容し又はキャビネット５１の内部から容易に取出可能である。なお、５５…はキャビネット５１の底面に設けた複数のキャスタを示す。
【００２１】
そして、給紙トレイ５２と排紙トレイ５３の間におけるキャビネット５１の内部であって、収容した回収ボックス５４の上方位置には、本実施形態に係る用紙断裁装置１の要部構成となる断裁機構部Ｍｃと排紙機構部Ｍｒを配設する。
【００２２】
次に、本実施形態に係る用紙断裁装置１の要部構成について、図１〜図６を参照して具体的に説明する。
【００２３】
用紙断裁装置１は、用紙Ｐに対して一方向Ｆｍの断裁を行う第一断裁機構２と他方向Ｆｓの断裁を行う第二断裁機構３とを組合わせて構成した断裁機構部Ｍｃを備える。この場合、一方向Ｆｍは、給紙トレイ５２から搬入される用紙Ｐの搬送方向に対して直角方向となり、他方向Ｆｓは、当該搬送方向に対して平行方向となる。
【００２４】
第一断裁機構２は、図３に示すように、用紙Ｐの両面Ｐｕ，Ｐｄ側にそれぞれ配した一対の長刃１１ｕ，１１ｄ、即ち、用紙Ｐの上面Ｐｕ側に配した長刃１１ｕと、用紙Ｐの下面Ｐｄ側に配した長刃１１ｄを備える。この場合、上面Ｐｕ側の長刃１１ｕは、位置が固定された固定刃となり、下面Ｐｄ側の長刃１１ｄは、上下に変位する可動刃となる。したがって、この長刃１１ｄは、一端が回動軸部４１により回動自在に支持されるとともに、他端が昇降機構部４２により昇降可能に構成し、下降時には、長刃１１ｄが長刃１１ｕから離間し、用紙Ｐの搬送路が開放されるとともに、上昇時には、長刃１１ｄと長刃１１ｕが交差し、用紙Ｐに対して一方向Ｆｍの断裁を行うことができる。昇降機構部４２は、駆動モータ４３とこの駆動モータ４３の回転運動を上下運動に変換する運動変換機構４４を備え、運動変換機構４４から出力する上下運動を長刃１１ｄの他端に伝達する構成を備えている。
【００２５】
一方、第二断裁機構３は、図１に示すように、用紙Ｐの上面Ｐｕ側に配した第一丸刃部４と、用紙Ｐの下面Ｐｄ側に配した第二丸刃部５ｐ，５ｑを組合わせて構成する複数（例示は六つ）の断裁部３ｐ…を備える。第二断裁機構３は、全体を断裁機構部Ｍｃの部位に対して着脱可能となる断裁ユニットＵｃとして構成する。このため、断裁ユニットＵｃは、一体化構成したシャーシ２１の上端部に二つの取手部２２，２２を備えており、この取手部２２…を手で持つことにより、キャビネット５１の内部おける所定の装填位置に対して容易に装填又は離脱可能となる。第二断裁機構３をこのような断裁ユニットＵｃとして構成すれば、複数の異なる断裁ユニットＵｃ…を選択交換可能になるため、名刺，葉書，チケット等で代表される各種のカード類Ｃｐ…の断裁に適用でき、用紙断裁装置１の汎用性を高めることができる。
【００２６】
また、断裁ユニットＵｃのシャーシ２１は、矩形のフレーム状に構成し、シャーシ２１の内側における上側位置に上回転シャフト２３を回動自在に支持するとともに、下側位置に下回転シャフト２４を回動自在に支持する。そして、上回転シャフト２３の軸方向に六つの第一丸刃部４…を所定間隔おきに固定するとともに、下回転シャフト２４の軸方向に、各第一丸刃部４…の位置に対応した六つ（六組）の第二刃部５ｐ，５ｑ（５ｐのみ及び５ｑのみを含む）を所定間隔おきに配設する。配設するに際しては、一対の第二刃部５ｐと５ｑ間にセパレータ２７を介在させ、このセパレータ２７の両側に一対の第二刃部５ｐ，５ｑをそれぞれ係合させることにより、各第二刃部５ｐ，５ｑを、下回転シャフト２４の周方向に変位が規制され、かつ軸方向に変位が許容されるように組付ける。
【００２７】
この場合、一つの第一丸刃部４と対応する第二刃部５ｐ，５ｑは一つの断裁部３ｐを構成する。例示の場合、下回転シャフト２４の軸方向両端位置に配する二つの断裁部３ｐ，３ｐにおいて、一方の断裁部３ｐには片側の第二刃部５ｐのみを設け、かつ他方の断裁部３ｐには片側の第二刃部５ｑのみを設けるとともに、これらの断裁部３ｐと３ｐ間に配する四つの断裁部３ｐ…は一対の第二刃部５ｐ，５ｑを設けて構成する。したがって、一対の第二刃部５ｐ，５ｑは、図１に示すように、第一丸刃部４の両側端面４ｐ，４ｑにそれぞれ当接するとともに、片側の第二刃部５ｐ又は５ｑのみを設けた両端位置の断裁部３ｐ，３ｐは第一丸刃部４の片側端面４ｐ又は４ｑに当接する。
【００２８】
さらに、上回転シャフト２３における相隣る二つの第一丸刃部４と４…間の中間位置には上ローラ２５…を固定し、かつ下回転シャフト２４における各上ローラ２５…の位置に対応する位置には下ローラ２６…を固定する。これにより、各上ローラ２５…と各下ローラ２６…は外周面が接触する。また、下回転シャフト２４における各下ローラ２６…と各第二刃部５ｐ，５ｑ…間には圧縮スプリング２８…をそれぞれ配設し、各第二刃部５ｐ，５ｑ…を第一丸刃部４の端面４ｐ，４ｑにそれぞれ圧接させている。
【００２９】
ところで、この断裁部３ｐは、本発明に従って特徴付けられる構成を備えている。即ち、第一丸刃部４は、単一体として構成し、軸方向の厚さ寸法を断裁するドブ断裁紙Ｃｐｒ…（図４参照）の各幅寸法Ｌｒ…に一致させるとともに、各第一丸刃部４…の回転シャフト２３上の位置は各ドブ断裁紙Ｃｐｒ…の位置、即ち、各カード類Ｃｐ…の位置に一致させる。そして、図１に示すように、第一丸刃部４の両側端面４ｐ，４ｑは相互に平行となる平行面にするとともに、外周面の軸方向中間部位に、周方向に沿った凹溝部１２を形成し、この凹溝部１２の両側を傾斜面にすることにより、周縁尖形となる一対の刃状部１３ｐ，１３ｑを一体形成する。一方、第二丸刃部５ｐ，５ｑは、第一丸刃部４の端面４ｐ，４ｑに当接する内側端面５ｐｆ，５ｑｆを、当該第一丸刃部４の端面４ｐ，４ｑに平行となる平行面にするとともに、外側端面５ｐｓ，５ｑｓを傾斜面にすることにより周縁尖形となるように形成する。また、シャーシ２１には、各回転シャフト２３及び２４を回転させる回転機構部３１を配設する。この回転機構部３１は、下回転シャフト２４を回転させる駆動モータ３２と、この下回転シャフト２４の回転を上回転シャフト２３に伝達する回転伝達機構３３を備える。以上の構成が断裁機構部Ｍｃの構成となる。
【００３０】
他方、第二断裁機構３の後段には排紙機構部Ｍｒを配設する。排紙機構部Ｍｒは、図６に示すように、各第一丸刃部４…相互間の断裁された正規断裁紙Ｃｐｓ…を前方に導出する第一排出機構６ｆを備えるとともに、正規断裁紙Ｃｐｓ…以外の断裁されたドブ断裁紙Ｃｐｒ…を正規断裁紙Ｃｐｓ…よりも下方に導出する第二排出機構６ｓを備える。図６中の符号６１は、第一排出機構６ｆと第二排出機構６ｓを仕切るガイド部を示す。このガイド部６１により、正規断裁紙Ｃｐｓ…は、第一排出機構６ｆに導かれ、この第一排出機構６ｆを介して排紙トレイ２３に排出されるとともに、ドブ断裁紙Ｃｐｒ…は、第二排出機構６ｓに導かれ、この第二排出機構６ｓを介して回収ボックス５４に投入される。
【００３１】
その他、本実施形態に係る用紙断裁装置１は、この用紙断裁装置１の全体の動作を司る制御系を備えており、図２に示す装置コントローラ７１は制御系の中枢を担っている。したがって、前述した駆動モータ４３及び３２は、この装置コントローラ７１により駆動制御される。また、図示を省略したが、給紙トレイ５２と排紙トレイ５３の間には用紙Ｐに係わる搬送系を備えており、給紙トレイ５２の用紙Ｐは、この搬送系に沿って断裁されつつ搬送される。特に、給紙トレイ５２と断裁機構部Ｍｃ間には、給紙トレイ５２に積層した用紙Ｐ…を一枚ずつ断裁機構部Ｍｃに供給する給紙機構を備えている。
【００３２】
次に、本実施形態に係る用紙断裁装置１の動作及び作用について、図１〜図７を参照して説明する。
【００３３】
今、図２に示す用紙断裁装置１の給紙トレイ５２に、図４に示す用紙Ｐが複数積層された状態にセットされているものとする。なお、例示の用紙Ｐは、前述したように、二十枚分の名刺（カード類Ｃｐ…）が印刷されたＡ３サイズの用紙を示す。
【００３４】
まず、断裁処理動作時には、不図示の給紙機構により給紙トレイ５２から一枚ずつ用紙Ｐが断裁機構部Ｍｃに供給される。そして、供給された用紙Ｐに対しては、最初に、第一断裁機構２により、一方向Ｆｍに対する断裁処理が行われる。図４に示す一点鎖線Ｋｍ…は、第一断裁機構２による用紙Ｐにおける断裁位置を示している。第一断裁機構２による断裁処理は、用紙Ｐに対する位置検出と駆動モータ４３に対する作動制御に基づいて行うことができる。したがって、断裁時には、図３に示す駆動モータ４３を作動制御することにより、下側の長刃１１ｄを上昇させる。これにより、一点鎖線Ｋｍの断裁位置が順次断裁され、図４に示す短冊状の中間紙Ｐｍが得られる。なお、中間紙ＰｍとＰｍ…の相互間において発生する幅寸法Ｌｍ…のドブ断裁紙Ｃｍｒ…は下方へ落下し、回収ボックス５４により回収される。
【００３５】
一方、得られた中間紙Ｐｍは、第二断裁機構３に供給され、他方向Ｆｓに対する断裁処理が行われる。図４に示す一点鎖線Ｋｓ…は、第二断裁機構３による中間紙Ｐｍにおける断裁位置を示している。第二断裁機構３による断裁処理は、中間紙Ｐｍを所定速度で搬送させ、第二断裁機構３における上側の第一丸刃部４…と下側の第二丸刃部５ｐ，５ｑ…間を通過させることにより行うことができる。したがって、断裁時には、駆動モータ３２を作動制御することにより、第一丸刃部４…及び第二丸刃部５ｐ，５ｑ…を回転させる。これにより、一点鎖線Ｋｓの断裁位置が同時に断裁される。
【００３６】
この場合、第一丸刃部４は、図１に示すように、両側端面４ｐ，４ｑを相互に平行となる平行面とし、かつ外周面の軸方向中間部位に周方向に沿って形成した凹溝部１２の両側を傾斜面として周縁尖形に形成した一対の刃状部１３ｐ，１３ｑを設けて構成したため、第一丸刃部４の周面が軸方向に平坦となる場合に生じる不具合が回避される。即ち、図１０（ｂ）に示す従来の構造では、所定の厚さ以上となる厚紙や特殊紙（内部層を繊維質とし、両側の外部層を高平滑性の硬質表面とした特殊紙等）による用紙Ｐの場合、断裁時に、正規断裁紙Ｃｐｓｒのエッジ部分が食い破られる等によりバリＰｍｅが発生する。しかし、本実施形態に係る第一丸刃部４を用いれば、図７に示すように、厚紙や特殊紙等の各種用紙Ｐであっても、断裁時に用紙Ｐが食い破られる等の不具合は排除される。これにより、品質低下の生じない円滑な断裁処理が可能になるとともに、断裁可能な用紙Ｐの種類は飛躍的に拡大する。
【００３７】
特に、本実施形態では、第二丸刃部５ｐ，５ｑを形成するに際し、第一丸刃部４の端面４ｐ，４ｑに当接する内側端面５ｐｆ，５ｑｆを当該第一丸刃部４の端面４ｐ，４ｑに平行となる平行面とし、かつ外側端面５ｐｓ，５ｑｓを傾斜面として周縁尖形に形成したため、上述した一対の刃状部１３ｐ，１３ｑを設けた第一丸刃部４と組合わせることにより、最適な断裁機構部Ｍｃを構築可能となる。この結果、高品質かつ円滑な断裁処理が確実に実現される。
【００３８】
また、本実施形態に係る用紙断裁装置１では、用紙Ｐの上面Ｐｕ側に配した単一体の第一丸刃部４及び用紙Ｐの下面Ｐｄ側に配することにより第一丸刃部４の両側端面４ｐ，４ｑにそれぞれ当接する一対の第二丸刃部５ｐ，５ｑとを用いた少なくとも一以上の断裁部３ｐ…を含む断裁機構部Ｍｃと、各第一丸刃部４…相互間の断裁された正規断裁紙Ｃｐｓ…を導出する第一排出機構６ｆ及び当該正規断裁紙Ｃｐｓ…以外のドブ断裁紙Ｃｐｒ…を正規断裁紙Ｃｐｓ…よりも下方に導出する第二排出機構６ｓを有する排紙機構部Ｍｒを設けたため、図６に示すように、断裁後の正規断裁紙Ｃｐｓ…の送り方向とドブ断裁紙Ｃｐｒ…の送り方向の交差ポイントが発生しない。したがって、正規断裁紙Ｃｐｓとドブ断裁紙Ｃｐｒのエッジ同士の擦れにより正規断裁紙Ｃｐｓのエッジが無用なダメージを受ける弊害が回避される。しかも、ドブ断裁紙Ｃｐｒ…をガイド等により下方へ強制的に導く構造が不要、或いは緩やかなガイド等で足りるため、排出時にドブ断裁紙Ｃｐｒ…が停滞しやすい不具合が回避され、ドブ断裁紙Ｃｐｒ…の詰まり等のトラブルが生じにくい円滑な排出が行われる。
【００３９】
そして、得られた正規断裁紙Ｃｐｓ…は、第一排出機構６ｆを通して排紙トレイ５３上に排出されるとともに、ドブ断裁紙Ｃｐｒ…は、第二排出機構６ｓを通して回収ボックス５４内に落下して回収される。以上により得られる正規断裁紙Ｃｐｓ…は、目的のカード類Ｃｐ、即ち、目的の名刺となる。
【００４０】
次に、本実施形態に係る断裁機構部Ｍｃにおける第一丸刃部４の変更例について、図８及び図９を参照して説明する。
【００４１】
図８及び図９は、いずれも第一丸刃部４の主に製造方法の相違を考慮したものである。まず、図８に示す変更例は、（ａ）に示す偏平な円柱状の丸刃部４ｒを利用する。この丸刃部４ｒは、基本的に、図１０（ｂ）に示した従来の第一丸刃部４ｒと同じであり、図８に示す変更例は、この丸刃部４ｍを直接加工して製造できるようにしたものである。第一丸刃部４を製造するに際しては、図８（ｂ）に示すように、用意した丸刃部４ｒの外周面に、断面矩形状となる前述した凹溝部１２を切削形成する。これにより、凹溝部１２の両側に刃状部１３ｐ，１３ｑの基礎となる刃形成部１３ｐｓ，１３ｑｓが形成される。そして、図８（ｃ）に示すように、刃形成部１３ｐｓ，１３ｑｓの内側面を切削加工又は研磨加工を行うことにより、目的とする刃状部１３ｐ，１３ｑを有する第一丸刃部４を得ることができる。
【００４２】
また、図９に示す変更例は、前述した一対の第二丸刃部５ｐ，５ｑと同様に形成した一対の分割丸刃部４ｘｐ，４ｘｑを用意し、左右対称に配した分割丸刃部４ｘｐ，４ｘｑを結合して構成したものである。これにより、第一丸刃部４の外周面には、断面がＶ形状となる凹溝部１２ｃが形成される。したがって、各分割丸刃部４ｘｐ，４ｘｑを、そのまま前述した刃状部１３ｐ，１３ｑとして機能させることができる。
【００４３】
以上、変更例を含む好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００４４】
例えば、第一断裁機構２は、用紙Ｐの両面Ｐｕ，Ｐｄ側にそれぞれ配した一対の長刃１１ｕ，１１ｄを用いて構成した場合を示したが、用紙Ｐの一面側に配した第一丸刃部４及び用紙Ｐの他面側に配した第二丸刃部５ｐ，５ｑを組合わせて構成した断裁部３ｐを用いて構成してもよい。この場合、停止した用紙Ｐに対して断裁部３ｐを移動させることにより実現することができる。また、第一丸刃部４は、外周面の軸方向中間部位に周方向に沿って形成した凹溝部１２の両側を傾斜面として周縁尖形に形成した一対の刃状部１３ｐ，１３ｑを設けた場合を示したが、軸方向に平坦となる外周面を有する場合を排除するものではない。さらに、第二断裁機構３は、断裁機構部Ｍｃに対して着脱可能となる断裁ユニットＵｃとして構成したが、非着脱形式に構成する場合を排除するものではない。一方、用紙断裁装置１は、実施形態のように、独立した専用の断裁装置として構成してもよいし、他の機器、例えば、印刷装置等にその一部として組込んでもよい。なお、用紙Ｐの素材は純粋な紙に限定されるものではない。したがって、樹脂製などであってもよく、用紙は、シート部材と同義である。
【産業上の利用可能性】
【００４５】
本発明に係る用紙断裁装置は一枚の用紙を断裁して複数のカード類（名刺，葉書，チケット等）を得る際に利用できる。
【符号の説明】
【００４６】
１：用紙断裁装置，２：第一断裁機構，３：第二断裁機構，３ｐ…：断裁部，４：第一丸刃部，４ｐ：第一丸刃部の端面，４ｑ：第一丸刃部の端面，５ｐ：第二丸刃部，５ｑ：第二丸刃部，５ｐｆ：第二丸刃部の内側端面，５ｑｆ：第二丸刃部の内側端面，５ｐｓ：第二丸刃部の外側端面，５ｑｓ：第二丸刃部の外側端面，６ｆ：第一排出機構，６ｓ：第二排出機構，１１ｕ：長刃，１１ｄ：長刃，１２：凹溝部，１３ｐ：刃状部，１３ｑ：刃状部，Ｐ：用紙，Ｐｕ：上面，Ｐｄ：下面，Ｆｍ：一方向，Ｆｓ：他方向，Ｍｃ：断裁機構部，Ｍｒ：排紙機構部，Ｃｐ…：カード類，Ｃｐｓ…：正規断裁紙，Ｃｐｒ…：ドブ断裁紙，Ｕｃ：断裁ユニット
【図１】
2015123565.tif 000003
【図２】
2015123565.tif 000004
【図３】
2015123565.tif 000005
【図４】
2015123565.tif 000006
【図５】
2015123565.tif 000007
【図６】
2015123565.tif 000008
【図７】
2015123565.tif 000009
【図８】
2015123565.tif 000010
【図９】
2015123565.tif 000011
【図１０】
2015123565.tif 000012